(57)【要約】【課題】災害時にガラス片や陶器片等の鋭利な物体が床に散乱した場合でも、これら危険物を踏み抜くことなく安全に使用でき、かつ軽量で、底部が柔軟性を有するため歩き易く、さらに検針にも支障が生じず、製造も容易なスリッパを提供する。【解決手段】底部と、甲部とで構成されるスリッパにおいて、前記底部内部に、中板と、前記中板の下面に配置した芯材と、前記芯材の下面に配置した底板と、を備えてなる。芯材は、好適にはアラミド繊維を高密度に多層織にした厚手の布である。【選択図】図２
0003181849.tif 000002
【実用新案登録請求の範囲】
【請求項１】
底部と、甲部とで構成されるスリッパにおいて、
前記底部内部に、中板と、前記中板の下面に配置した芯材と、前記芯材の下面に配置した底板と、を備え、
前記芯材が、アラミド繊維を高密度に多層織にした布であることを特徴とするスリッパ。
【請求項２】
前記芯材の厚さが３〜４ｍｍであることを特徴とする請求項１に記載のスリッパ。
【考案の詳細な説明】
【技術分野】
【０００１】
本考案は、地震等の災害時に、床や廊下等に危険物が散乱した場合でも、安全に使用することができ、しかも軽量で歩き易く、製造も容易な災害時用スリッパに関する。
【背景技術】
【０００２】
従来より、災害時に散乱するガラス片や陶器片等の鋭利な危険物から足を保護するスリッパとして、危険物が貫通し難い素材を内包したものが提供されている。
【０００３】
例えば、特許文献１には、金属製の保護部材が内包されたスリッパが記載されている。
【０００４】
特許文献２に記載のスリッパは、爪先を覆うカバー部が安全靴の規格と同等の剛性を有するものである。
【先行技術文献】
【特許文献】
【０００５】
【特許文献１】実用新案登録第３１１０６６４号公報
【特許文献２】特開２０１０−５７８４９号公報
【考案の概要】
【考案が解決しようとする課題】
【０００６】
しかしながら、特許文献１に記載のスリッパに内包された保護材は、その硬さによって危険物を踏み抜くことを防止するものであって、これをスリッパ底部に内包すると、底部の柔軟性が失われるため、履いて歩く際に底部が曲がらず、歩き難くなってしまうという問題があった。
【０００７】
また、セラミック板や金属製の保護材の場合、その重みで歩き難くなるという問題もあった。さらに、金属製の保護材は、スリッパ製造工程で行われる検針において、検針器に感知されてしまい、検針作業が正確に行えないという難点があった。
【０００８】
特許文献２に記載のスリッパは、保護材が甲部のみに具備されているため、危険物の落下から足を守ることはできるが、底部には保護材が具備されていないため、危険物を踏みつけた場合はスリッパの底部を貫通して足裏が傷つく虞がある。
【０００９】
さらに、特許文献１及び２に記載のスリッパは部品が多く、そのため製造に手間がかかるという問題もあった。
【００１０】
そこで、本考案の目的は、災害時にガラス片や陶器片等の鋭利な物体が床に散乱した場合でも、これら危険物を踏み抜くことなく安全に使用でき、かつ軽量で、底部が柔軟性を有するため歩き易く、さらに検針にも支障が生じず、製造も容易なスリッパを提供することである。
【課題を解決するための手段】
【００１１】
上記の目的を達成するべく本考案は、以下の構成を提供する。
（１）請求項１に係る考案は、底部と、甲部とで構成されるスリッパにおいて、
前記底部内部に、中板と、前記中板の下面に配置した芯材と、前記芯材の下面に配置した底板と、を備え、前記芯材が、アラミド繊維を高密度に多層織にした布であることを特徴とする。
【００１２】
（２）請求項２に係る考案は、請求項１において、前記芯材の厚さが３〜４ｍｍであることを特徴とする。
【考案の効果】
【００１３】
本考案によると、地震等の災害時に、床や地面に危険物が散乱した場合でも危険物を踏み抜くことなく安全に使用することができ、軽量で柔軟性を有するため歩き易く、かつ検針にも支障が生じない災害時用スリッパを提供することができる。
【図面の簡単な説明】
【００１４】
【図１】本考案による災害時用スリッパの一例の外観斜視図である。
【図２】図１の災害時用スリッパのＡ断面図である。
【図３】図１の災害時用スリッパの側面図である。
【考案を実施するための形態】
【００１５】
以下、実施例を示した図面を参照しつつ本考案の実施形態を説明する。
図１において、１は本考案によるスリッパの一例の外観斜視図である。
スリッパ１は、甲部２と、底部３とからなる。甲部２の爪先は、安全性確保のため閉じている。
【００１６】
図２は、図１のスリッパ１のＡ断面図である。底部３は、中板３１と芯材３２と、これらを覆うカバー材３１１、及び底板３３とからなる。中板３１の下面に芯材３２を配置し、その上でカバー材３１１を被せ、その周縁部を芯材３２の下面に折り込んで接着固定し、最後にその下面に底板３３を設置する。
【００１７】
カバー材３１１の設置方法は特に限定されない。例えば、中板３１の表面と側面とでそれぞれ別のカバー材でもよい。
【００１８】
また、カバー材３１１の素材も特に限定されず、天然繊維及び合成繊維のいずれでもよい。しかしながら、災害時に用いることを考慮すると、耐久性と耐燃性を有する素材が好適である。尚、分かり易くするために、カバー材３１１は図２において厚みをもって示しているが、実際にはもっと薄く、しかも芯材３２と底板３３はそれぞれ密着させるため、図２のような芯材３２と底板３３との間に隙間はほとんど生じない。
【００１９】
中板３１は、柔軟性を有する素材、例えば、エチレン−酢酸ビニル共重合体（ＥＶＡ）が望ましい。また、安全性を確保するために、適度な厚みを持たせる。好適には２ｃｍ前後である。
【００２０】
芯材３２には、高剛性と高弾性を有するアラミド繊維を高密度に多層織にした厚手の布を用いる。このような厚手の布は、例えば防弾衣や防刃衣等に使用されている。アラミド繊維が有する強度に加え、これを高密度の多層織にすることにより、くぎや陶器片あるいはプラスチック片等の危険物を踏んだ場合でも、芯材３２が貫通を防止し、使用者の足裏を保護する。しかも柔軟で軽量であるため、普通のスリッパと同様に使用できる。アラミド繊維の素材は、ケブラー（登録商標）が好適である。また、芯材３２の厚さは３〜４ｍｍが好適である。
【００２１】
本考案によるスリッパの安全性能試験として、従来品のスリッパ（アルミ板入り）と比較した耐踏抜き試験を行った。試験方法は、ＪＩＳＴ８１０１：２００６（安全靴）の「９．５耐踏抜き試験」によるものである。従来品と本考案品を４点ずつ、スリッパ１点につき任意の４箇所をくぎで圧迫し、くぎが貫通したときの力を計測した。その結果、従来品の値は２０５〜９０４Ｎを示したのに対し、本考案品の値は１０５０〜１４６６Ｎであった。
【００２２】
上記試験結果から明らかであるように、本考案品は危険物の貫通防止に優れている一方で、針のような細いものは、織り目の間隙を通ることができる。そのため、本考案品製造の際、芯材３２とカバー材３１１の周縁部との接着を補強するため、ミシンを使用して縫いつけることも可能である。
【００２３】
底板３３は、災害時の床あるいは地面を歩くことを想定すると、柔軟かつ丈夫な素材であることが望ましく、例えば、塩化ビニル（ＰＶＣ）とエチレン−酢酸ビニル共重合体（ＥＶＡ）との混合材が挙げられる。しかし、これらに限定されない。
【００２４】
甲部２の構造及び素材については特に問わない。図２では、一例として、甲部芯材２１にカバー材３１１と同様の素材を貼付したものを甲部２とした。
【００２５】
図３は図１のスリッパ１の側面図である。図１同様、芯材３２はカバー材３１１に覆われているので、図３には現れない。
【符号の説明】
【００２６】
１      スリッパ
２      甲部
２１    甲部芯材
３      底部
３１    中板
３１１  カバー材
３２    芯材
３３    底板
【図１】
0003181849.tif 000003
【図２】
0003181849.tif 000004
【図３】
0003181849.tif 000005